(57)【要約】【課題】受信できる放送を確実にユーザに提供する。【解決手段】テレビジョン放送受信装置１は、チャンネルスキャン処理を実行する日時を設定し、設定した日時にチャンネルスキャン処理を実行するようにしたことにより、特定の日時に、もしくは定期的な日時に自動でチャンネルスキャン処理を実行することができる。この結果、例えば、地上デジタル放送がまだ開始されていない地域に設置された場合、地上デジタル放送が開始され次第、チャンネルスキャン処理を実行して、受信可能な放送チャンネルを登録することができ、かくして受信できる放送を確実にユーザに提供することができる。【選択図】図３
2009118352.tif 000002
【特許請求の範囲】
【請求項１】
受信対象の各放送チャンネルをスキャンして各放送チャンネルの受信強度を得、当該受信強度に基づいて各放送チャンネルの受信可否を判別し、当該判別の結果、受信可能と判別した放送チャンネルを登録するチャンネルスキャン処理を実行するチャンネルスキャン処理実行部と、
上記チャンネルスキャン処理実行部に上記チャンネルスキャン処理を実行させる日時を設定する日時設定部と、
上記日時設定部により設定された日時に上記チャンネルスキャン処理を実行するよう上記チャンネルスキャン処理実行部を制御する制御部と
を具えることを特徴とする放送受信装置。
【請求項２】
上記チャンネルスキャン処理実行部により受信可能と判別した放送チャンネルが登録された場合に、受信可能と判別した放送チャンネルが登録された旨を通知する通知部
を具えることを特徴とする請求項１に記載の放送受信装置。
【請求項３】
上記通知部は、
受信可能と判別した放送チャンネルが登録された旨を示すメッセージを所定のタイミングで表示部に表示させることにより、受信可能と判別した放送チャンネルが登録された旨を通知する
ことを特徴とする請求項２に記載の放送受信装置。
【請求項４】
上記所定のタイミングは、電源オン時である
ことを特徴とする請求項３に記載の放送受信装置。
【請求項５】
上記通知部は、
上記チャンネルスキャン処理実行部により受信可能と判別した放送チャンネルが登録された場合に、受信可能と判別した放送チャンネルが登録された旨を示すメールを生成して記憶部に記憶させ、ユーザ操作に応じて、当該メールを表示部に表示させることにより、受信可能と判別した放送チャンネルが登録された旨を通知する
ことを特徴とする請求項２に記載の放送受信装置。
【請求項６】
上記日時設定部は、
ユーザ操作に応じて、上記チャンネルスキャン処理実行部に上記チャンネルスキャン処理を実行させる日時を設定する
ことを特徴とする請求項１に記載の放送受信装置。
【請求項７】
上記日時設定部は、
上記チャンネルスキャン処理実行部に上記チャンネルスキャン処理を実行させる日時として、特定の日時または定期的な日時を設定する
ことを特徴とする請求項１に記載の放送受信装置。
【請求項８】
受信対象の各放送チャンネルをスキャンして各放送チャンネルの受信強度を得、当該受信強度に基づいて各放送チャンネルの受信可否を判別し、当該判別の結果、受信可能と判別した放送チャンネルを登録するチャンネルスキャン処理をチャンネルスキャン処理部に実行させる日時を設定する日時設定ステップと、
上記日時設定ステップで設定した日時に上記チャンネルスキャン処理を上記チャンネルスキャン処理部に実行させるチャンネルスキャン処理実行ステップと、
を具えることを特徴とするチャンネルスキャン方法。
【請求項９】
情報処理装置に対して、
受信対象の各放送チャンネルをスキャンして各放送チャンネルの受信強度を得、当該受信強度に基づいて各放送チャンネルの受信可否を判別し、当該判別の結果、受信可能と判別した放送チャンネルを登録するチャンネルスキャン処理をチャンネルスキャン処理部に実行させる日時を設定する日時設定ステップと、
上記日時設定ステップで設定した日時に上記チャンネルスキャン処理を上記チャンネルスキャン処理部に実行させるチャンネルスキャン処理実行ステップと、
を実行させることを特徴とするチャンネルスキャンプログラム。
【発明の詳細な説明】
【技術分野】
【０００１】
本発明は、放送受信装置、チャンネルスキャン方法及びチャンネルスキャンプログラムに関し、例えば、地上デジタル放送を受信可能な放送受信装置に適用して好適なものである。
【背景技術】
【０００２】
地上波のテレビジョン放送は、２０１１年までにアナログ放送からデジタル放送（地上デジタル放送などと呼ばれる）に移行することが決定している。ゆえに近年、発売されるテレビジョン放送受信装置の多くがアナログ放送にくわえて地上デジタル放送にも対応している。
【０００３】
ところで、地上デジタル放送は、地域ごとに放送チャンネルの割り当てが異なる。このため、ユーザは、地上デジタル放送対応のテレビジョン放送受信装置を設置したときに、このテレビジョン放送受信装置に、受信対象の各放送チャンネルをスキャンして受信可能な放送チャンネルを登録する処理（これをチャンネルスキャン処理とも呼ぶ）を実行させる必要がある。
【０００４】
具体的にテレビジョン放送受信装置は、チャンネルスキャン処理を実行するよう指示されると、まず受信対象となる各放送チャンネルをスキャンする。次に、テレビジョン放送受信装置は、スキャンの結果として得られた各放送チャンネルの受信強度をもとに、この受信強度が所定値以上の放送チャンネルを、設置された地域で受信可能な放送チャンネルとして検出して登録する。
【０００５】
このようにしてチャンネルスキャン処理を実行した結果登録された放送チャンネルの映像音声が、以降、このテレビジョン放送受信装置で視聴できるようになる（例えば、特許文献１参照）。
【特許文献１】特開２００７−２２１６２６公報
【発明の開示】
【発明が解決しようとする課題】
【０００６】
ところで、アナログ放送からデジタル放送への移行期間である現在、まだ地上デジタル放送が開始されていない地域も存在する。このような地域では、テレビジョン放送受信装置にチャンネルスキャン処理を実行させても、受信可能な放送チャンネルは検出されない。したがって、このような地域のユーザがテレビジョン放送受信装置で地上デジタル放送を視聴するには、少なくとも地上デジタル放送が開始された以降に、再度、テレビジョン放送受信装置にチャンネルスキャン処理を実行させる必要がある。
【０００７】
しかしながら、例えば、全てのユーザが自分の地域でいつから地上デジタル放送が開始されるのかを知っているもしくは覚えているとは限らない。ゆえに、地上デジタル放送が開始されている地域であるにもかかわらず、テレビジョン放送受信装置にチャンネルスキャン処理を実行させていないために、地上デジタル放送を視聴できない状況が起こり得る。
【０００８】
このように、従来のテレビジョン放送受信装置では、地上デジタル放送を受信し得る状態であるにもかかわらず、地上デジタル放送をユーザに視聴させることができない場合があった。
【０００９】
本発明は以上の点を考慮してなされたもので、受信できる放送を確実にユーザに提供し得る放送受信装置、放送受信方法及び放送受信プログラムを提案しようとするものである。
【課題を解決するための手段】
【００１０】
かかる課題を解決するため本発明においては、受信対象の各放送チャンネルをスキャンして各放送チャンネルの受信強度を得、当該受信強度に基づいて各放送チャンネルの受信可否を判別し、当該判別の結果、受信可能と判別した放送チャンネルを登録するチャンネルスキャン処理を実行するチャンネルスキャン処理実行部と、チャンネルスキャン処理実行部にチャンネルスキャン処理を実行させる日時を設定する日時設定部と、日時設定部により設定された日時にチャンネルスキャン処理を実行するようチャンネルスキャン処理実行部を制御する制御部とを設けた。
【００１１】
このようにチャンネルスキャン処理を実行する日時を設定して、当該日時にチャンネルスキャン処理を実行するようにしたことにより、特定の日時に、もしくは定期的な日時に自動でチャンネルスキャン処理を実行することができる。この結果、放送が開始され次第、チャンネルスキャン処理を実行して、受信可能な放送チャンネルを登録することができる。
【発明の効果】
【００１２】
本発明によれば、受信対象の各放送チャンネルをスキャンして各放送チャンネルの受信強度を得、当該受信強度に基づいて各放送チャンネルの受信可否を判別し、当該判別の結果、受信可能と判別した放送チャンネルを登録するチャンネルスキャン処理を実行するチャンネルスキャン処理実行部と、チャンネルスキャン処理実行部にチャンネルスキャン処理を実行させる日時を設定する日時設定部と、日時設定部により設定された日時にチャンネルスキャン処理を実行するようチャンネルスキャン処理実行部を制御する制御部とを設けたことにより、特定の日時に、もしくは定期的な日時に自動でチャンネルスキャン処理を実行することができる。この結果、放送が開始され次第、チャンネルスキャン処理を実行して、受信可能な放送チャンネルを登録することができ、かくして受信できる放送を確実にユーザに提供し得る放送受信装置、チャンネルスキャン方法及びチャンネルスキャンプログラムを実現できる。
【発明を実施するための最良の形態】
【００１３】
以下、図面について、本発明の一実施の形態を詳述する。
【００１４】
（１）テレビジョン放送受信装置の構成
図１において１は、テレビジョン放送受信装置の構成を示している。このテレビジョン放送受信装置１は、主として、デジタル系（地上デジタル放送、衛星（ＢＳ:Broadcasting  Satellite、ＣＳ:Communication  Satellite）デジタル放送）及びアナログ系（地上アナログ放送）のテレビジョン放送の受信再生機能、及びＥＰＧ（Electric  Program  Guide）情報の取得機能を有している。
【００１５】
具体的にこのテレビジョン放送受信装置１は、Ｈｏｓｔマイコン２が、図示しない内蔵メモリまたはバス３を介して接続された不揮発性メモリ４に記憶されているプログラムにしたがって各種処理を実行する。またこのＨｏｓｔマイコン２は、ＵＩ（User  Interface）制御部５及び受光部６を介してリモートコントローラ（以下、リモコンとも呼ぶ）ＲＭより入力される赤外線信号（つまりリモコンＲＭの操作に応じた信号）をコマンドとして受け取り、このコマンドに応じて各部の動作を制御するようになされている。
【００１６】
実際上、テレビジョン放送受信装置１は、Ｈｏｓｔマイコン２の制御のもと、デジタル系アンテナ７を介して受信したデジタル放送信号（地上デジタル放送信号または衛星デジタル放送信号）をデジタルチューナ８に入力する。デジタルチューナ８は、Ｈｏｓｔマイコン２の制御のもと、デジタル放送信号から所定のチャンネル（例えばリモコンＲＭを介して指定されたチャンネル）の放送信号を抽出して、さらにこの抽出した放送チャンネル信号に対して復調処理、デスクランブル処理などを施すことにより放送チャンネルデータを得、この放送チャンネルデータをデマルチプレクサ９に送出する。
【００１７】
デマルチプレクサ９は、放送チャンネルデータから映像データと音声データとを分離して、これらをＡＶ（Audio  Video）デコーダ１０に送出する。ＡＶデコーダ１０は、映像データ及び音声データのそれぞれをデコードすることにより、映像信号及び音声信号を得、映像信号をＧＵＩ（Graphical  User  Interface）重畳器１１を介してディスプレイ１２に送出する一方で、音声信号をスピーカ１３に送出する。このとき、ＧＵＩ重畳器１１は、映像信号に対してＯＳＤ（On  Screen  Display）などのグラフィック信号を重畳するようになされている。
【００１８】
この結果、テレビジョン放送受信装置１のディスプレイ１２からは、デジタル放送の番組映像が出力され、スピーカ１３からは番組音声が出力される。このようにして、テレビジョン放送受信装置１は、デジタル放送を受信して、その番組映像及び番組音声を再生するようになされている。
【００１９】
また、テレビジョン放送受信装置１は、Ｈｏｓｔマイコン２の制御のもと、アナログ系アンテナ１４を介して受信したアナログ放送信号をアナログチューナ１５に入力する。アナログチューナ１５は、Ｈｏｓｔマイコン２の制御のもと、アナログ放送信号から所定のチャンネルの放送信号を抽出して、この抽出した放送信号を復調器１６に送出する。復調器１６は、放送信号に対して所定の復調処理を施すことにより復調信号を得、さらにこの復調信号から映像信号と音声信号とを分離して、映像信号をＧＵＩ重畳器１１を介してディスプレイ１２に送出する一方で、音声信号をスピーカ１３に送出する。このとき、ＧＵＩ重畳器１１は、映像信号に対してＯＳＤ（On  Screen  Display）などのグラフィック信号を重畳するようになされている。
【００２０】
この結果、テレビジョン放送受信装置１のディスプレイ１２からは、アナログ放送の番組映像が出力され、スピーカ１３からは番組音声が出力される。このようにして、テレビジョン放送受信装置１は、アナログ放送を受信して、その番組映像及び番組音声を再生するようになされている。
【００２１】
さらに、テレビジョン放送受信装置１は、Ｈｏｓｔマイコン２の制御のもと、デマルチプレクサ９により放送チャンネルデータからデジタル放送のＥＰＧ情報を分離して、これを不揮発性メモリ４に記録する。
【００２２】
さらに、テレビジョン放送受信装置１は、Ｈｏｓｔマイコン２の制御のもと、復調器１６により復調された復調信号をＶＢＩ（Vertical  Blanking  Interval）スライサ１７に送出する。ＶＢＩスライサ１７は、復調信号の特定ラインを切り出して、これをＥＰＧデコーダ１８に送出する、ＥＰＧデコーダ１８は復調信号の特定ラインをデコードすることによりアナログ放送のＥＰＧ情報を得、これを不揮発性メモリ４に記録する。
【００２３】
また、テレビジョン放送受信装置１は、Ｈｏｓｔマイコン２の制御のもと、ＥＰＧ情報配信サーバ（図示せず）から送信されるアナログ放送のＥＰＧ情報をネットワーク端子１９を介して受信し、この受信したＥＰＧ情報をネットワークコントローラ２０及びバス３を介して不揮発性メモリ４に記録する。
【００２４】
このようにして、テレビジョン放送受信装置１は、ＥＰＧ情報を取得するようになされている。ちなみに、このＥＰＧ情報には、例えば、放送予定の番組の番組情報として、放送局名、チャンネル番号、放送日時、番組名、ジャンル、番組概要、番組詳細、出演者などが含まれている。
【００２５】
さらに、テレビジョン放送受信装置１は、リモコンＲＭの操作に応じて、Ｈｏｓｔマイコン２が、不揮発性メモリ４に記録したＥＰＧ情報をもとに電子番組表のデータを生成する。Ｈｏｓｔマイコン２は、このデータをバス３を介してＲＡＭ２１に一時保存した後、ＲＡＭ２１からＧＵＩ重畳器１１に送出する。ＧＵＩ重畳器１１は、この電子番組表のデータをもとに画面信号を生成して、これをディスプレイ１２に送出する。この結果、テレビジョン放送受信装置１のディスプレイ１２に、電子番組表の画面が表示される。
【００２６】
このようにして、テレビジョン放送受信装置１は、デジタル系（地上デジタル放送、衛星デジタル放送）及びアナログ系（地上アナログ放送）のテレビジョン放送の受信再生機能、及びＥＰＧ情報の取得機能を実現している。
【００２７】
さらに、テレビジョン放送受信装置１は、リモコンＲＭの操作に応じて、Ｈｏｓｔマイコン２が、不揮発性メモリ４から、テレビジョン放送の受信再生に関する各種設定及び各種処理を行うための画面（これをセットアップ画面とも呼ぶ）のデータを読み出す。Ｈｏｓｔマイコン２は、このデータを、バス３を介してＲＡＭ２１に一時保存した後、ＲＡＭ２１からＧＵＩ重畳器１１に送出する。ＧＵＩ重畳器１１は、このセットアップ画面のデータをもとに画面信号を生成して、これをディスプレイ１２に送出する。この結果、テレビジョン放送受信装置１のディスプレイ１２に、セットアップ画面が表示される。
【００２８】
Ｈｏｓｔマイコン２は、リモコンＲＭの操作に応じて、このセットアップ画面で各種設定を行った場合、その結果を示す設定情報を不揮発性メモリ４に記憶する。こうすることで、テレビジョン放送受信装置１では、以降、記憶した設定情報に基づいて、テレビジョン放送の受信再生に関する各種処理が実行される。またＨｏｓｔマイコン２は、このセットアップ画面を介して各種処理の実行が指示されると、その指示に応じて、各種処理を実行するようにもなされている。
【００２９】
このようにして、テレビジョン放送受信装置１は、テレビジョン放送の受信再生に関する各種設定及び各種処理を、ディスプレイ１２に表示したセットアップ画面を介して行うことができるようになされている。
【００３０】
（２）リモートコントローラの構成
次にテレビジョン放送受信装置１に対する各種命令を赤外線信号として発信するリモコンＲＭについて図２を用いて説明する。
【００３１】
リモコンＲＭは、矩形状の筐体３０を有し、その一面の上端部にテレビジョン放送受信装置１の電源オン／オフに対応する電源キー３１、消音に対応する消音キー３２、各種設定を実行する場合のセットアップ画面の表示に対応するセットアップキー３３、セットアップ画面などのＧＵＩ画面でのカーソル操作に対応する方向キー３４、ＧＵＩ画面での操作の決定に対応する決定キー３５などが設けられている。
【００３２】
さらにその下方には、地上アナログ放送の選択に対応するアナログキー３６、地上デジタル放送の選択に対応するデジタルキー３７、ＢＳデジタル放送の選択に対応するＢＳキー３８、ＣＳデジタル放送の選択に対応するＣＳキー３９、衛星（ＢＳ、ＣＳ）デジタル放送のチャンネル選択用の数字キー４０などが設けられている。
【００３３】
さらにその下方には、字幕の表示に対応する字幕キー４１、ＥＰＧ情報として取得した番組説明の表示に対応する番組説明キー４２、地上波（地上アナログ、地上デジタル）放送のチャンネル選択用の数字キー４３などが設けられている。
【００３４】
さらにその下方には、チャンネルの切り換え（チャンネル番号を＋１または−１）に対応するチャンネル＋キー４４及びチャンネル−キー４５、音量の調節（音量アップまたはダウン）に対応する音量アップキー４６及び音量ダウンキー４７などが設けられている。
【００３５】
そしてリモコンＲＭは、これらのキーが押下されると、押下されたキーに応じた赤外線信号を、筐体３０上端部に設けられた赤外線信号発信部４８から発信する。この結果、テレビジョン放送受信装置１にリモコンＲＭの操作に応じた命令が入力され、テレビジョン放送受信装置１がこの命令に応じた処理を実行する。
【００３６】
（３）チャンネルスキャン処理
上述したように、テレビジョン放送受信装置１では、地上デジタル放送の受信及び再生が可能であるが、実際に、地上デジタル放送を受信して再生するには、少なくとも設置された地域で地上デジタル放送が開始された以降に、チャンネルスキャン処理を実行する必要がある。ここでは、このチャンネルスキャン処理について説明する。
【００３７】
テレビジョン放送受信装置１のＨｏｓｔマイコン２は、リモコンＲＭのセットアップキー３３が押下されたことを認識すると、ディスプレイ１２にセットアップ画面を表示させる。そしてＨｏｓｔマイコン２は、このセットアップ画面から、チャンネルスキャン処理の実行が指示されると、これに応じて各部を制御することによりチャンネルスキャン処理を実行する。
【００３８】
具体的にＨｏｓｔマイコン２は、ユーザに登録させた地域を特定する情報（例えば郵便番号）に基づき、デジタルチューナ８に、その地域で受信対象となる各放送チャンネルをスキャンさせる。
【００３９】
デジタルチューナ８は、スキャンにより各放送チャンネルの受信強度を得、この受信強度が所定値以上の放送チャンネルをこの地域で受信可能な放送チャンネルと判別して、その旨をＨｏｓｔマイコン２に通知する。Ｈｏｓｔマイコン２は、デジタルチューナ８により受信可能であると判別された放送チャンネルを、受信可能な放送チャンネルとして、不揮発性メモリ４に構築されたチャンネルデータベースに登録する。
【００４０】
このようなチャンネルスキャン処理を実行することで、テレビジョン放送受信装置１では、以降、このチャンネルデータベースに登録された放送チャンネルの受信及び再生が可能となる。つまり、地上デジタル放送の視聴が可能となる。
【００４１】
（４）チャンネルスキャン処理の予約
さらに、このテレビジョン放送受信装置１では、セットアップ画面でチャンネルスキャン処理の実行が指示されたときにチャンネルスキャン処理を実行するばかりでなく、チャンネルスキャン処理を実行する日時（実行日時とも呼ぶ）を設定することで、チャンネルスキャン処理を予約することができるようにもなされている。ここでは、このチャンネルスキャン処理の予約について説明する。
【００４２】
具体的にテレビジョン放送受信装置１のＨｏｓｔマイコン２は、リモコンＲＭのセットアップキー３３が押下されたことを認識すると、ディスプレイ１２にセットアップ画面を表示させる。そしてＨｏｓｔマイコン２は、このセットアップ画面から、項目としてチャンネルスキャン処理の予約が選択されると、図３に示すように、チャンネルスキャン処理を予約する画面（これを予約画面とも呼ぶ）５０を表示させる。
【００４３】
この予約画面５０は、予約内容として設定可能なチャンネルスキャン処理を実行する日付などが表示される日付表示領域５１と、予約内容として設定可能なチャンネルスキャン処理の実行を開始する時刻が表示される時刻表示領域５２と、日付表示領域５１及び時刻表示領域５２に表示された予約内容でチャンネルスキャン処理の予約を確定する予約確定ボタン５３と、予約を中止する予約中止ボタン５４とで構成される。
【００４４】
ここで、日付表示領域５１には、デフォルトとして現在の日付（例えば『１２／１２（日）』）が表示され、時刻表示領域５２には、デフォルトとして現在の時刻（例えば『午前１０：００』）が表示される。
【００４５】
このような予約画面５０を表示させた後、Ｈｏｓｔマイコン２は、リモコンＲＭの操作に応じて、日付表示領域５１及び時刻表示領域５２に表示される予約内容を変更する。
【００４６】
実際上、Ｈｏｓｔマイコン２は、日付表示領域５１がカーソルＣｕにより選択された状態で、リモコンＲＭの方向キー３４の上側が押下されると、日付表示領域５１に表示されている日付を、次の日の日付（例えば『１２／１３（月）』）に変更する。その後、Ｈｏｓｔマイコン２は、方向キー３４の上側が押下されるごとに、日付表示領域５１に表示されている日付を、次の日の日付（例えば、『１２／１４（火）』、『１２／１５（水）』、…）に変更していく。
【００４７】
そして、Ｈｏｓｔマイコン２は、日付表示領域５１に表示されている日付の次の日が現在の日付（例えば『１２／１２（日）』）から１ヶ月を超える状況で、さらに方向キー３４の上側が押下されると、図４に示すように、日付表示領域５１に表示されている日付を、チャンネルスキャン処理を毎週実行する曜日（例えば『毎週日曜』）に変更する。その後、Ｈｏｓｔマイコン２は、方向キー３４の上側が押下されるごとに、日付表示領域５１に表示されている曜日を、次の曜日（例えば、『毎週月曜』、『毎週火曜』、…）に変更していく。
【００４８】
そして、Ｈｏｓｔマイコン２は、日付表示領域５１に表示されている曜日が最後の曜日（例えば『毎週土曜』）である状況で、さらに方向キー３４の上側が押下されると、図５に示すように、日付表示領域５１に表示されている曜日を、チャンネルスキャン処理を毎月実行する日（例えば『毎月１日』）に変更する。その後、Ｈｏｓｔマイコン２は、方向キー３４の上側が押下されるごとに、日付表示領域５１に表示されている日を、次の日（例えば、『毎月２日』、『毎月３日』、…）に変更していく。
【００４９】
ちなみに、方向キー３４の下側が押下された場合、上側が押下された場合とは逆の順序で、日付表示領域５１に表示される日付、曜日及び日を変更する。
【００５０】
また、Ｈｏｓｔマイコン２は、時刻表示領域５２がカーソルＣｕにより選択された状態で、リモコンＲＭの方向キー３４の上側が押下されると、時刻表示領域５２に表示されている時刻を、＋１分した時刻（例えば『午前１０：０１』）に変更する。その後、Ｈｏｓｔマイコン２は、方向キー３４の上側が押下されるごとに、時刻表示領域５２に表示されている時刻を、＋１分した時刻（例えば、『午前１０：０２』、『午前１０：０３』、…）に変更していく。
【００５１】
ちなみに、方向キー３４の下側が押下された場合、上側が押下された場合とは逆の順序で、時刻表示領域５２に表示される時刻を変更する。
【００５２】
このようにしてＨｏｓｔマイコン２は、日付表示領域５１及び時刻表示領域５２に表示される予約内容を変更する。
【００５３】
ここで、Ｈｏｓｔマイコン２は、例えば、日付表示領域５１に表示される予約内容が『１２／１３（月）』、時刻表示領域５２に表示される予約内容が『午前３：００』であれば、チャンネルスキャン処理の実行日時を特定の日時である『１２／１３（月）の午前３：００』に設定する。また、例えば、日付表示領域５１に表示される予約内容が『毎週火曜』、時刻表示領域５２に表示される予約内容が『午前１１：００』であれば、チャンネルスキャン処理の実行日時を定期的な日時である『毎週火曜の午前１１：００』に設定する。さらに、例えば、日付表示領域５１に表示される予約内容が『毎月３日』、時刻表示領域５２に表示される予約内容が『午後１０：００』であるならば、チャンネルスキャン処理の実行日時を定期的な日時である『毎月３日の午後１０：００』に設定する。
【００５４】
このように予約画面５０では、チャンネルスキャン処理の実行日時として、特定の日時、もしくは定期的な日時を設定することができるようになされている。
【００５５】
このようにしてチャンネルスキャン処理の実行日時を設定した後、予約確定ボタン５３がカーソルＣｕにより選択され、リモコンＲＭの決定キー３５が押下されると、Ｈｏｓｔマイコン２は、予約確定ボタン５３が押下されたと判断し、設定した実行日時を、不揮発性メモリ４に構築された予約データベースに登録することで、チャンネルスキャン処理の予約を確定する。
【００５６】
これに対して、予約中止ボタン５４がカーソルＣｕにより選択され、リモコンＲＭの決定キー３５が押下されると、Ｈｏｓｔマイコン２は、予約中止ボタン５４が押下されたと判断し、設定した実行日時を破棄して、チャンネルスキャン処理の予約を中止する。
【００５７】
そして、Ｈｏｓｔマイコン２は、チャンネルスキャン処理の予約を確定した場合、内蔵時計（図示せず）より得られる現在日時が、予約データベースに登録したチャンネルスキャン処理の実行日時になった時点で、チャンネルスキャン処理の実行を開始する。
【００５８】
ここまで説明したようにテレビジョン放送受信装置１は、チャンネルスキャン処理の実行日時を設定して、チャンネルスキャン処理を予約することにより、特定の日時に、もしくは定期的な日時にチャンネルスキャン処理を自動で実行することができる。
【００５９】
ちなみに、テレビジョン放送受信装置１は、リモコンＲＭの電源キー３１の押下に応じて電源オフの状態であっても、主電源がオンであれば、チャンネルスキャン処理を実行できるようになされている。
【００６０】
（５）受信可能な放送チャンネルを検出して登録した旨の通知
さらに、このテレビジョン放送受信装置１は、チャンネルスキャン処理を自動で実行した結果、受信可能な放送チャンネルを検出して登録した場合に、その旨（つまりこのテレビジョン放送受信装置１で地上デジタル放送が視聴できるようになった旨）を、ユーザに通知する機能を有している。
【００６１】
実際上、このテレビジョン放送受信装置１では、２種類の通知方法（これらを第１の通知方法、第２の通知方法とも呼ぶ）で、受信可能な放送チャンネルを検出して登録した旨をユーザに通知するようになされている。まず第１の通知方法から説明する。
【００６２】
（５−１）第１の通知方法
第１の通知方法では、テレビジョン放送受信装置１が、受信可能な放送チャンネルを検出して登録した後、最初にリモコンＲＭの操作に応じて電源オンしたときに、その旨を、メッセージとしてディスプレイ１２に表示することでユーザに通知する。
【００６３】
具体的にテレビジョン放送受信装置１のＨｏｓｔマイコン２は、受信可能な放送チャンネルを検出して登録した旨を通知したかどうかを示す通知情報を、不揮発性メモリ４に記憶するようになされている。
【００６４】
そのうえで、Ｈｏｓｔマイコン２は、電源オン時に、不揮発性メモリ４に構築されたチャンネルデータベースに受信可能な放送チャンネルが登録されているかどうかを判別する。ここで、受信可能な放送チャンネルが登録されている場合、Ｈｏｓｔマイコン２は、さらに不揮発性メモリ４に記録されている通知情報をもとに、受信可能な放送チャンネルを検出して登録した旨を通知したかどうかを判別する。
【００６５】
ここで、まだ通知していない場合、Ｈｏｓｔマイコン２は、不揮発性メモリ４から、受信可能な放送チャンネルを検出して登録した旨を示すテキストデータを読み出して、これをＧＵＩ重畳器１１に送出する。
【００６６】
この結果、図６に示すように、ディスプレイ１２には、例えば、選局中の放送チャンネルの映像の所定部分（例えば右下隅）に、受信可能な放送チャンネルを検出して登録した旨を示すテキストデータに基づくメッセージ（例えば『地上デジタル放送が受信されました。「デジタル」キーを押下すると、地上デジタル放送が視聴できます。』）が重ねて表示される。
【００６７】
こうすることで、テレビジョン放送受信装置１は、ユーザに対して、地上デジタル放送が視聴できるようになった旨を認識させることができる。
【００６８】
また、このとき、Ｈｏｓｔマイコン２は、受信可能な放送チャンネルを検出して登録した旨を通知したとして通知情報を更新する。これにより、以降、電源オンされるたびに、受信可能な放送チャンネルを検出して登録した旨を示すメッセージが表示されることがなくなる。
【００６９】
このようにしてメッセージを表示した後、所定時間（例えば３０秒）経過すると、Ｈｏｓｔマイコン２は、このメッセージを非表示とする。
【００７０】
このように、テレビジョン放送受信装置１は、電源オン時に、受信可能な放送チャンネルを検出して登録した旨を示すメッセージをディスプレイ１２に表示することで、チャンネルスキャン処理を実行した結果、地上デジタル放送が視聴できるようになった旨を、ユーザに認識させることができる。
【００７１】
また、この場合、ユーザがディスプレイ１２に注視している可能性が高い電源オン時に、受信可能な放送チャンネルを検出して登録した旨を示すメッセージを表示するようにしたことにより、ユーザに対してそのメッセージをより確実に視認させることができる。
【００７２】
（５−２）第２の通知方法
次に第２の通知方法について説明する。この第２の通知方法では、テレビジョン放送受信装置１が、受信可能な放送チャンネルを検出して登録した後、その旨を示すメールを自分で生成して保存し、リモコンＲＭの操作に応じて、このメールをディスプレイ１２に表示することで、受信可能な放送チャンネルを検出して登録した旨をユーザに通知する。
【００７３】
具体的にテレビジョン放送受信装置１のＨｏｓｔマイコン２は、チャンネルスキャン処理を自動で実行した結果、受信可能な放送チャンネルを検出して登録すると、このときその旨を示すメールを生成してこれを不揮発性メモリ４に保存する。
【００７４】
その後、Ｈｏｓｔマイコン２は、リモコンＲＭのセットアップキー３３が押下されたことを認識すると、ディスプレイ１２にセットアップ画面を表示させる。そしてＨｏｓｔマイコン２は、このセットアップ画面から、項目として本機（つまりテレビジョン放送受信装置１）からのメールの確認が選択されると、図７に示すように、本機からのメールを確認する画面（これをメール確認画面とも呼ぶ）６０を表示させる。
【００７５】
このメール確認画面６０は、本機からのメールの内容が表示されるメール内容表示領域６１と、本機からのメールの件数が表示される件数表示領域６２とで構成される。
【００７６】
ここで、メール内容表示領域６１には、デフォルトとして例えば最新のメールの内容が表示される。またメールの件数が２件以上である場合、メール内容表示領域６１に表示されるメールの内容は、リモコンＲＭの方向キー３４の操作に応じて、順に切り換わるようになされている。
【００７７】
このメール内容表示領域６１には、受信可能な放送チャンネルを検出して登録した旨を示すメールも、本機からのメールとして、その内容（例えば『地上デジタル放送が受信されました。「デジタル」キーを押下すると、地上デジタル放送が視聴できます。』）が表示される。
【００７８】
このようにテレビジョン放送受信装置１は、メール確認画面６０のメール内容表示領域６１に、受信可能な放送チャンネルを検出して登録した旨を示すメールの内容を表示することで、ユーザに対して、地上デジタル放送が視聴できるようになった旨を認識させることができる。
【００７９】
こうすることでテレビジョン放送受信装置１は、仮に、第１の通知方法によって、電源オン時に表示した、受信可能な放送チャンネルを検出して登録した旨を示すメッセージを見逃したユーザにも、その旨を示すメールにより、地上デジタル放送が視聴できるようになった旨を確実に認識させることができる。
【００８０】
ここまで説明したようにテレビジョン放送受信装置１は、受信可能な放送チャンネルを検出して登録した旨（つまり地上デジタル放送が視聴できるようになった旨）を、電源オン時に表示するメッセージで通知する第１の通知方法と、本機が自動で生成したメールで通知する第２の通知方法とで通知する。これにより、このテレビジョン放送受信装置１で地上デジタル放送が視聴できるようになった旨を、ユーザに対してより確実に認識させることができる。
【００８１】
（６）処理手順
次に、上述した、チャンネルスキャン処理を予約する処理手順（これをスキャン予約処理手順とも呼ぶ）、チャンネルスキャン処理の予約に応じてチャンネルスキャン処理を実行する処理手順（これをスキャン実行処理手順とも呼ぶ）、第１の通知方法で受信可能な放送チャンネルを検出して登録した旨を通知する場合の処理手順（これを第１の通知処理手順とも呼ぶ）、及び第２の通知方法で通知する場合の処理手順（これを第２の通知処理手順とも呼ぶ）について、順に説明する。
【００８２】
（６−１）予約処理手順
まず図８を用いて、スキャン予約処理手順ＲＴ１について説明する。ちなみに、このスキャン予約処理手順ＲＴ１は、主として、テレビジョン放送受信装置１のＨｏｓｔマイコン２が、図示しない内蔵メモリまたは不揮発性メモリ４に記憶されているプログラムにしたがって実行する処理の手順である。
【００８３】
テレビジョン放送受信装置１のＨｏｓｔマイコン２は、例えばリモコンＲＭの操作により、セットアップ画面から、項目としてチャンネルスキャン処理の予約が選択されたことを認識すると、このスキャン予約処理手順ＲＴ１を開始して、ステップＳＰ１に移る。
【００８４】
ステップＳＰ１においてＨｏｓｔマイコン２は、予約画面５０を表示させて、次のステップＳＰ２に移る。ステップＳＰ２においてＨｏｓｔマイコン２は、リモコンＲＭの操作に応じて、予約内容、つまりチャンネルスキャン処理の実行日時を設定して、次のステップＳＰ３に移る。
【００８５】
ステップＳＰ３においてＨｏｓｔマイコン２は、予約確定ボタン５３が押下されたかどうかを判別する。このステップＳＰ３で肯定結果を得ると、このことは設定した実行日時により予約を確定することを示し、このときＨｏｓｔマイコン２は、ステップＳＰ４に移る。
【００８６】
ステップＳＰ４においてＨｏｓｔマイコン２は、設定した実行日時を不揮発性メモリ４に構築された予約データベースに登録することで予約を完了した後、次のステップＳＰ５に移る。ステップＳＰ５においてＨｏｓｔマイコン２は、予約画面５０を消去してセットアップ画面に戻り、このスキャン予約処理手順ＲＴ１を終了する。
【００８７】
これに対して上述のステップＳＰ３で否定結果を得ると、このことは予約確定ボタン５３が押下されていないことを示し、このときＨｏｓｔマイコン２は、ステップＳＰ６に移る。
【００８８】
ステップＳＰ６においてＨｏｓｔマイコン２は、予約中止ボタン５４が押下されたかどうかを判別する。このステップＳＰ６で否定結果を得ると、このことは予約確定ボタン５３も予約中止ボタン５４も押下されていないこと、つまりまだ予約が確定されていないことを示し、このときＨｏｓｔマイコン２は、ステップＳＰ２に戻る。
【００８９】
一方、このステップＳＰ６で肯定結果を得ると、このことは予約が中止されたことを示し、このときＨｏｓｔマイコン２は、ステップＳＰ５に移り、予約画面５０を消去してセットアップ画面に戻り、このスキャン予約処理手順ＲＴ１を終了する。
【００９０】
このようなスキャン予約処理手順ＲＴ１にしたがって、Ｈｏｓｔマイコン２は、チャンネルスキャン処理を予約するようになされている。
【００９１】
次に図９を用いて、スキャン実行処理手順ＲＴ２について説明する。ちなみに、このスキャン実行処理手順ＲＴ２も、主として、テレビジョン放送受信装置１のＨｏｓｔマイコン２が、図示しない内蔵メモリまたは不揮発性メモリ４に記憶されているプログラムにしたがって実行する処理の手順である。
【００９２】
テレビジョン放送受信装置１のＨｏｓｔマイコン２は、上述した予約処理手順ＲＴ１にしたがって、チャンネルスキャン処理の予約が完了すると、このスキャン実行処理手順ＲＴ２を開始して、ステップＳＰ１０に移る。
【００９３】
ステップＳＰ１０においてＨｏｓｔマイコン２は、内蔵時計より得られる現在日時が、予約データベースに登録されているチャンネルスキャン処理の実行日時になるまで待ち受け、実行日時になったことを認識すると、次のステップＳＰ１１に移る。ステップＳＰ１１においてＨｏｓｔマイコン２は、チャンネルスキャン処理を実行して、次のステップＳＰ１２に移る。
【００９４】
ステップＳＰ１２においてＨｏｓｔマイコン２は、チャンネルスキャン処理を実行した結果、受信可能な放送チャンネルを検出できたかどうかを判別する。このステップＳＰ１２で肯定結果を得ると、このことは、受信可能な放送チャンネルを検出できたこと、つまり地上デジタル放送を視聴できる状態であることを示し、このときＨｏｓｔマイコン２は、ステップＳＰ１３に移る。
【００９５】
ステップＳＰ１３においてＨｏｓｔマイコン２は、受信可能な放送チャンネルを不揮発性メモリ４に構築されたチャンネルデータベースに登録して、次のステップＳＰ１４に移る。ステップＳＰ１４においてＨｏｓｔマイコン２は、受信可能な放送チャンネルを検出して登録した旨を示すメールを生成して、これを不揮発性メモリ４に記憶した後、このスキャン実行処理手順ＲＴ２を終了する。
【００９６】
これに対して上述のステップＳＰ１２で否定結果を得ると、このことは、受信可能な放送チャンネルを検出できなかったこと、つまり地上デジタル放送を視聴できる状態ではないことを示し、このときＨｏｓｔマイコン２は、このスキャン実行処理手順ＲＴ２を終了する。
【００９７】
このようなスキャン実行処理手順ＲＴ２にしたがって、Ｈｏｓｔマイコン２は、設定された実行日時にチャンネルスキャン処理を実行するようになされている。
【００９８】
次に図１０を用いて、第１の通知処理手順ＲＴ３について説明する。ちなみに、この第１の通知処理手順ＲＴ３も、主として、テレビジョン放送受信装置１のＨｏｓｔマイコン２が、図示しない内蔵メモリまたは不揮発性メモリ４に記憶されているプログラムにしたがって実行する処理の手順である。
【００９９】
テレビジョン放送受信装置１のＨｏｓｔマイコン２は、リモコンＲＭの操作に応じて電源オンすると、この第１の通知処理手順ＲＴ３を開始して、ステップＳＰ２０に移る。ステップＳＰ２０においてＨｏｓｔマイコン２は、不揮発性メモリ４に構築されたチャンネルデータベースに受信可能な放送チャンネルが登録されていうかどうかを判別する。このステップＳＰ２０で否定結果を得ると、このことは、チャンネルデータベースに受信可能な放送チャンネルが登録されていないこと、つまり地上デジタル放送を視聴できる状態ではないことを示し、このときＨｏｓｔマイコン２は、この第１の通知処理手順ＲＴ３を終了する。
【０１００】
これに対してこのステップＳＰ２０で肯定結果を得ると、このことは、チャンネルデータベースに受信可能な放送チャンネルが登録されていること、つまり地上デジタル放送を視聴できる状態であることを示し、このときＨｏｓｔマイコン２は、ステップＳＰ２１に移る。
【０１０１】
ステップＳＰ２１においてＨｏｓｔマイコン２は、不揮発性メモリ４に記憶された通知情報をもとに、受信可能な放送チャンネルを登録した旨を既に通知したかどうかを判別する。このステップＳＰ２１で肯定結果を得ると、このことは、受信可能な放送チャンネルを登録した旨を既に通知したことを示し、このときＨｏｓｔマイコン２は、この第１の通知処理手順ＲＴ３を終了する。
【０１０２】
これに対してこのステップＳＰ２１で否定結果を得ると、このことは、受信可能な放送チャンネルを登録した旨をまだ通知していないことを示し、このときＨｏｓｔマイコン２は、ステップＳＰ２２に移る。
【０１０３】
ステップＳＰ２２においてＨｏｓｔマイコン２は、ＧＵＩ重畳器１１を制御することにより、受信可能な放送チャンネルを登録した旨を示すメッセージをディスプレイ１２に表示させて、次のステップＳＰ２３に移る。
【０１０４】
ステップＳＰ２３においてＨｏｓｔマイコン２は、受信可能な放送チャンネルを登録した旨を通知したとして通知情報を更新した後、この第１の通知処理手順ＲＴ３を終了する。
【０１０５】
このような第１の通知処理手順ＲＴ３にしたがって、Ｈｏｓｔマイコン２は、受信可能な放送チャンネルを登録した旨、つまり地上デジタル放送が視聴できるようになった旨をメッセージにより通知するようになされている。
【０１０６】
次に図１１を用いて、第２の通知処理手順ＲＴ４について説明する。ちなみに、この第２の通知処理手順ＲＴ４も、主として、テレビジョン放送受信装置１のＨｏｓｔマイコン２が、図示しない内蔵メモリまたは不揮発性メモリ４に記憶されているプログラムにしたがって実行する処理の手順である。
【０１０７】
テレビジョン放送受信装置１のＨｏｓｔマイコン２は、例えばリモコンＲＭの操作により、セットアップ画面から、項目として本機からのメールの確認が選択されたことを認識すると、この第２の通知処理手順ＲＴ４を開始して、ステップＳＰ３０に移る。
【０１０８】
ステップＳＰ３０においてＨｏｓｔマイコン２は、メール確認画面６０を表示させて、次のステップＳＰ３１に移る。ステップＳＰ３１においてＨｏｓｔマイコン２は、受信可能な放送チャンネルがチャンネルデータベースに登録された旨を示すメールが不揮発性メモリ４に保存されていかどうかを判別する。
【０１０９】
このステップＳＰ３１で否定結果を得ると、このことは、そのメールが保存されていないこと、つまり地上デジタル放送が視聴できる状態ではないことを示し、このときＨｏｓｔマイコン２は、この第２の通知処理手順ＲＴ４を終了する。
【０１１０】
これに対して、このステップＳＰ３１で肯定結果を得ると、このことは、そのメールが保存されていること、つまり地上デジタル放送が視聴できるようになったことを示し、このときＨｏｓｔマイコン２は、ステップＳＰ３２に移る。
【０１１１】
ステップＳＰ３２において、Ｈｏｓｔマイコン２は、リモコンＲＭの操作に応じて、そのメールの内容をディスプレイ１２に表示した後、この第２の通知処理手順ＲＴ４を終了する。
【０１１２】
ちなみに、実際上、Ｈｏｓｔマイコン２は、受信可能な放送チャンネルが登録された旨を示すメールも、他のメールと同様に扱うが、ここでは、第２の通知方法での処理手順を簡単に説明するため、受信可能な放送チャンネルが登録された旨を示すメールを、他のメールとは別に扱うようにした。
【０１１３】
このような第２の通知処理手順ＲＴ４にしたがって、Ｈｏｓｔマイコン２は、受信可能な放送チャンネルを登録した旨、つまり地上デジタル放送が視聴できるようになった旨をメールにより通知するようになされている。
【０１１４】
（７）動作及び効果
以上の構成においてテレビジョン放送受信装置１は、ユーザによるリモコンＲＭの操作に応じて、チャンネルスキャン処理の実行日時を特定の日時もしくは定期的な日時に設定して予約データベースに登録することで、チャンネルスキャン処理を予約する。
【０１１５】
ここで、例えば、ユーザが、自分の地域で地上デジタル放送が開始される日時を知っているのであれば、その日時をチャンネルスキャン処理の実行日時として設定すればよいし、知らないのであれば、定期的な日時をチャンネルスキャン処理の実行日時として設定すればよい。
【０１１６】
そしてテレビジョン放送受信装置１は、予約データベースに登録した実行日時になった時点で、チャンネルスキャン処理の実行を開始する。
【０１１７】
こうすることで、テレビジョン放送受信装置１は、特定の日時に、もしくは定期的な日時にチャンネルスキャン処理を自動で実行することができる。
【０１１８】
すなわち、テレビジョン放送受信装置１は、例えば、地上デジタル放送がまだ開始されていない地域に設置された場合に、地上デジタル放送が開始され次第、チャンネルスキャン処理を自動で実行して、受信可能な放送チャンネルを登録することができる。
【０１１９】
また、このようにしてチャンネルスキャン処理を自動で実行した結果、受信可能な放送チャンネルを検出して登録した場合、テレビジョン放送受信装置１は、その旨を２種類の通知方法でユーザに通知する。
【０１２０】
すなわち第１の通知方法では、テレビジョン放送受信装置１は、受信可能な放送チャンネルを検出して登録した後、最初に電源オンしたときに、その旨をメッセージとしてディスプレイ１２に表示することでユーザに通知する。
【０１２１】
このように、テレビジョン放送受信装置１は、ユーザがディスプレイ１２を注視している可能性が高い電源オン時に、受信可能な放送チャンネルを検出して登録した旨を示すメッセージをディスプレイ１２に表示するようにしたことにより、ユーザに対して受信可能な放送チャンネルを検出して登録した旨、つまり地上デジタル放送が視聴できるようになった旨を、より確実に認識させることができる。
【０１２２】
また第２の通知方法では、テレビジョン放送受信装置１は、受信可能な放送チャンネルを検出して登録したときに、その旨を示すメールを自分で生成して保存し、リモコンＲＭの操作に応じて、そのメールをディスプレイ１２に表示することでユーザに通知する。
【０１２３】
こうすることで、テレビジョン放送受信装置１は、第１の通知方法で電源オン時に表示したメッセージを、万が一見逃したユーザに対しても、保存してあるメールによって、受信可能な放送チャンネルを検出して登録した旨、つまり地上デジタル放送が視聴できるようになった旨を認識させることができる。
【０１２４】
このように、テレビジョン放送受信装置１は、チャンネルスキャン処理を自動で実行して、受信可能な放送チャンネルを検出して登録した場合に、その旨をユーザに通知することで、地上デジタル放送が視聴できるようになった旨をユーザに認識させることができる。
【０１２５】
以上の構成によれば、テレビジョン放送受信装置１は、チャンネルスキャン処理を実行する日時を設定し、設定した日時にチャンネルスキャン処理を実行するようにしたことにより、特定の日時に、もしくは定期的な日時に自動でチャンネルスキャン処理を実行することができる。この結果、例えば、地上デジタル放送がまだ開始されていない地域に設置された場合、地上デジタル放送が開始され次第、チャンネルスキャン処理を実行して、受信可能な放送チャンネルを登録することができ、かくして受信できる放送を確実にユーザに提供することができる。
【０１２６】
（８）他の実施の形態
なお、上述した実施の形態では、テレビジョン放送受信装置１が、ユーザによりリモコンＲＭを介して指定された日時に、チャンネルスキャン処理の実行日時を設定して、この実行日時にチャンネルスキャンを実行するようにした場合について述べたが、本発明はこれに限らず、例えば、あらかじめテレビジョン放送受信装置１に実行日時を設定しておき、この実行日時にチャンネルスキャンを自動で実行するようにしてもよい。
【０１２７】
この場合、例えば、実行日時として『毎月１日の午前３：００』をテレビジョン放送受信装置１に設定しておき、テレビジョン放送受信装置１は、受信可能な放送チャンネルを検出して登録できるまで、この実行日時にチャンネルスキャン処理を実行する。
【０１２８】
こうすることで、テレビジョン放送受信装置１は、地上デジタル放送がまだ開始されていない地域に設置された場合でも、より確実に、地上デジタル放送が開始され次第、受信可能な放送チャンネルを登録することができる。つまり、地上デジタル放送を視聴可能な状態にすることができる。
【０１２９】
また、上述した実施の形態では、チャンネルスキャン処理を定期的に実行する日時として、『毎週日曜』や『毎月１日』のように曜日や日を設定できるようにした場合について述べたが、本発明はこれに限らず、例えば、『５日ごと』や『２週間ごと』のように間隔を設定できるようにしてもよい。
【０１３０】
さらに、上述した実施の形態では、チャンネルスキャン処理の実行を開始する開始時刻として、何時何分というように分単位の時刻を設定できるようにした場合について述べたが、本発明はこれに限らず、例えば、何時〜何時というように幅を持たせた時刻を設定でできるようにしてもよい。
【０１３１】
この場合、例えば、開始時刻を『午前３：００〜午前６：００』に設定したとすると、テレビジョン放送受信装置１は、この『午前３：００〜午前６：００』の間で、処理負荷が少ないとき（例えば電源オフのとき）に、チャンネルスキャン処理を実行する。このようにすれば、ユーザがテレビジョン放送を視聴しているときに、チャンネルスキャン処理を実行して、視聴できなくなるような状況を回避することができる。
【０１３２】
さらに、上述した実施の形態では、受信可能な放送チャンネルを検出して登録した旨を通知する第１の通知方法として、電源オン時に、その旨を示すメッセージを所定時間表示するようにした場合について述べたが、本発明はこれに限らず、例えば、その旨を示す音声をスピーカ１３から出力するようにしてもよい。
【０１３３】
また、受信可能な放送チャンネルを検出して登録した旨を示すメッセージを、所定時間表示するのではなく、何かしらリモコンＲＭの操作が行われるまで表示するようにしてもよい。さらに、このメッセージを、例えば、地上デジタル放送の選局操作が行われるまで（つまり地上デジタル放送が視聴されるまで）、繰り返し電源オン時に表示するようにしてもよい。
【０１３４】
この場合、テレビジョン放送受信装置１のＨｏｓｔマイコン２は、地上デジタル放送が選局（チャンネル選択）されたことがあるかどうかを示す選局情報を不揮発性メモリ４に記憶させる。この選局情報は、例えば、地上デジタル放送が選局された場合に、フラグが立つような情報とする。そしてＨｏｓｔマイコン２は、電源オン時に、チャンネルデータベースに受信可能な放送チャンネルが登録されていて、且つ選局情報のフラグが立っていない場合に、受信可能な放送チャンネルを検出して登録した旨を示すメッセージをディスプレイ１２に表示させる。
【０１３５】
こうすることで、ユーザが実際に地上デジタル放送を視聴するまで、メッセージを表示することができる。
【０１３６】
さらに、上述した実施の形態では、受信可能な放送チャンネルを検出して登録した旨を通知する第２の通知方法として、その旨を示すメールを生成して保存しておき、これを必要に応じて（つまりユーザからの指示に応じて）表示するようにした場合について述べたが、本発明はこれに限らず、例えば、例えば、その旨を示すテキストデータを生成して、これをユーザから参照可能な状態で保存しておき、必要に応じて（つまりユーザからの指示に応じて）表示するようにしてもよい。すなわち、ユーザがいつでも参照できるように記憶されている情報であれば、メールやテキストデータに限らず、この他種々の情報を用いてもよい。
【０１３７】
さらに、メールを生成して保存した場合に、新規メールが存在する旨を、アイコンとして、ディスプレイ１２に表示するようにしてもよい。
【０１３８】
さらに、本発明は、上述した実施の形態及びここまで説明した他の実施の形態に限定されるものではなく、上述した実施の形態及びここまで説明した他の実施の形態の一部または全部を任意に組み合わせた形態、もしくは一部を抽出した形態にもその適用範囲が及ぶものである。例えば、第１の通知方法と第２の通知方法とのどちらか一方で通知するテレビジョン放送受信装置１であってもよい。
【０１３９】
さらに、上述した実施の形態では、地上アナログ放送及び地上デジタル放送に対応するテレビジョン放送受信装置１に本発明を適用するようにした場合について述べたが、本発明はこれに限らず、地上デジタル放送のみに対応するテレビジョン放送受信装置に本発明を適用するようにしてもよい。また、現行の地上デジタル放送に限らず、チャンネルスキャン処理を実行する必要がある放送であれば、この他種々の放送に対応する放送受信装置に本発明を適用するようにしてもよい。
【０１４０】
さらに、上述した実施の形態では、スキャン予約処理、スキャン実行処理、第１の通知処理及び第２の通知処理を実行するためのプログラムを、Ｈｏｓｔマイコン２の図示しない内蔵メモリまたは不揮発性メモリ４にあらかじめ記憶しておくようにした場合について述べたが、本発明はこれに限らず、このプログラムを例えば光ディスクや磁気ディスク、メモリカードなどの記録媒体に記録しておき、このプログラムをテレビジョン放送受信装置１が外部接続した図示しないドライブなどを介して記録媒体から読み出し、Ｈｏｓｔマイコン２の内蔵メモリまたは不揮発性メモリ４にインストールするようにしてもよい。
【０１４１】
さらに、上述した実施の形態による、スキャン予約処理手順ＲＴ１、スキャン実行処理手順ＲＴ２、第１の通知処理手順ＲＴ３及び第２の通知処理手順ＲＴ４のそれぞれは、ステップの順番が限定されるものではなく、例えば、スキャン実行処理手順ＲＴ１のステップＳＰ１３とステップＳＰ１４の順番を入れ換えてもよいし、第１の通知処理手順ＲＴ３のステップＳＰ２０とステップＳＰ２１の順番を入れ換えるなどしてもよい。またこれらスキャン予約処理手順ＲＴ１、スキャン実行処理手順ＲＴ２、第１の通知処理手順ＲＴ３及び第２の通知処理手順ＲＴ４のそれぞれが別々のプログラムでもよいし、１つのプログラムとして実装されていてもよい。
【０１４２】
さらに、上述した実施の形態では、主として、チャンネルスキャン処理実行部としてのデジタルチューナ８と、チャンネルスキャン処理実行部、日時設定部、制御部及び通知部としてのＨｏｓｔマイコン２とにより、放送受信装置としてのテレビジョン放送受信装置１を構成するようにした場合について述べたが、本発明はこれに限らず、同様の機能を有するものであれば、これら以外のチャンネルスキャン処理実行部、日時設定部、制御部、通知部によってテレビジョン放送受信装置１を構成するようにしてもよい。例えば、上述した実施の形態では、テレビジョン放送受信装置１に、チャンネルスキャン処理実行部、日時設定部、制御部及び通知部としての機能を担うＨｏｓｔマイコン２を設けるようにしたが、チャンネルスキャン処理実行部、日時設定部、制御部及び通知部のそれぞれの機能をハードウェアによりもしくはソフトウェアにより実現する複数の機能部を設けるようにしてもよい。
【産業上の利用可能性】
【０１４３】
本発明は、例えば、地上デジタル放送に対応するテレビジョン放送受信機で広く有効利用することができる。
【図面の簡単な説明】
【０１４４】
【図１】テレビジョン放送受信装置の構成を示すブロック図である。
【図２】リモートコントローラの構成を示す略線図である。
【図３】予約画面の構成（１）を示す略線図である。
【図４】予約画面の構成（２）を示す略線図である。
【図５】予約画面の構成（３）を示す略線図である。
【図６】第１の通知方法による通知の説明に供する略線図である。
【図７】メール確認画面の構成を示す略線図である。
【図８】スキャン予約処理手順を示すフローチャートである。
【図９】スキャン実行処理手順を示すフローチャートである。
【図１０】第１の通知処理手順を示すフローチャートである。
【図１１】第２の通知処理手順を示すフローチャートである。
【符号の説明】
【０１４５】
１……テレビジョン放送受信装置、２……Ｈｏｓｔマイコン、４……不揮発性メモリ、７……デジタル系アンテナ、８……デジタルチューナ、９……デマルチプレクサ、１０……ＡＶデコーダ、１１……ＧＵＩ重畳器、１２……ディスプレイ、１３……スピーカ、１４……アナログ系アンテナ、１５……アナログチューナ、１６……復調器、３３……セットアップキー、３４……方向キー、３５……決定キー、５０……予約画面、５１……日付表示領域、５２……時刻表示領域、５３……予約確定ボタン、５４……予約中止ボタン、６０……メール確認画面、６１……メール内容表示領域、ＲＭ……リモコン。
【図１】
2009118352.tif 000003
【図２】
2009118352.tif 000004
【図３】
2009118352.tif 000005
【図４】
2009118352.tif 000006
【図５】
2009118352.tif 000007
【図６】
2009118352.tif 000008
【図７】
2009118352.tif 000009
【図８】
2009118352.tif 000010
【図９】
2009118352.tif 000011
【図１０】
2009118352.tif 000012
【図１１】
2009118352.tif 000013